(57)【要約】【課題】残留媒体を検出することができ、低コストでありながら、高い信頼性を確保することができる硬貨繰出し装置の提供を目的とする。【解決手段】搬送手段３１上に位置し、搬送手段３１の動きに伴って移動可能な検知部材３８と、検知部材３８の移動時間を測定する検出手段３９，４０とを設け、搬送手段３１を動作させ、検出手段３９，４０で測定した検知部材３８の移動時間が、予め設定した規定時間と略等しいか否かで検知部材３８が移動する搬送空間に残留媒体が存在するか否かを判定する判定手段を備えたことを特徴とする。【選択図】図６
2010211445.tif 000002
【特許請求の範囲】
【請求項１】
硬貨を堆積するホッパ部と、
該ホッパ部の底部に設けられ硬貨を搬送する搬送手段と、
上記硬貨の厚みと略同等の隙間を有して上記ホッパ部に堆積した硬貨を１枚ずつ分離するゲート部とを備えた硬貨繰出し装置であって、
上記搬送手段上に位置し、該搬送手段の動きに伴って移動可能な検知部材と、
上記検知部材の移動時間を測定する検出手段とを設け、
上記搬送手段を動作させ、上記検出手段で測定した検知部材の移動時間が、
予め設定した規定時間と略等しいか否かで上記検知部材が移動する搬送空間に残留媒体が存在するか否かを判定する判定手段を備えた
硬貨繰出し装置。
【請求項２】
上記ゲート部の隙間に対して上記検知部材のサイズを大きく設定した
請求項１記載の硬貨繰出し装置。
【請求項３】
上記搬送手段の搬送面下部に、該搬送面上の硬貨を検出する磁気検出手段を配設し、
該磁気検出手段による硬貨検出が完了した時、上記検知部材による残留媒体の検知を実行する
請求項１または２記載の硬貨繰出し装置。
【請求項４】
硬貨を堆積するホッパ部と、
該ホッパ部の底部に設けられ硬貨を搬送する搬送手段と、
上記硬貨の厚みと略同等の隙間を有して上記ホッパ部に堆積した硬貨を１枚ずつ分離するゲート部とを備え、
上記搬送手段上に位置し、該搬送手段の動きに伴って移動可能な検知部材と、
上記検知部材の移動時間を測定する検出手段とを設けた硬貨繰出し装置により残留硬貨を検知する残留硬貨検知方法であって、
上記搬送手段を動作させ、上記検出手段で測定した検知部材の移動時間が、
予め設定した規定時間と略等しいか否かで上記検知部材が移動する搬送空間に残留硬貨が存在するか否かを判定する
残留硬貨検知方法。
【請求項５】
硬貨を堆積するホッパ部と、
該ホッパ部の底部に設けられ硬貨を搬送する搬送手段とを備えた硬貨繰出し装置での硬貨の滞留を解消する硬貨滞留解消方法であって、
上記ホッパ部は上記搬送手段の搬送面の上部両サイドから上方に向けて立設配設され、
複数の硬貨の接触により上記搬送面上で硬貨の滞留が発生した時、上記搬送手段の搬送面上に位置して該搬送手段の動きに伴って移動可能な部材により、上記硬貨の滞留を解消する
硬貨滞留解消方法。
【発明の詳細な説明】
【技術分野】
【０００１】
この発明は、金融機関の現金自動取扱装置や自動両替装置または釣銭機などに適用され、硬貨を１枚ずつ分離して繰出す装置や硬貨を搬送する搬送手段上に残留する硬貨を検知する方法または搬送手段上に滞留する硬貨の滞留を解消するような硬貨繰出し装置、残留硬貨検知方法および硬貨滞留解消方法に関する。
【背景技術】
【０００２】
一般に、銀行などの金融機関では、現金の入出金を自動的に行なう現金自動取引装置（いわゆるＡＴＭ）が設置されており、この現金自動取引装置には、硬貨処理を行なう硬貨入出金機構が搭載されている。
【０００３】
上述の硬貨入出金機構は、利用者が一括で投入した複数枚の硬貨を、収納部に保管し、該収納部に保管した硬貨から指定金額の硬貨を払出し効果入出金機構の中を還流させるように構成されている。
【０００４】
このような硬貨入出金機構においては、入出金口や一時保留部などにおいて一括で投入された複数枚の硬貨を、一時スタックし、この一時スタックした硬貨を１枚ずつに分離して繰出し処理を行なう硬貨繰出し装置を備えている。
【０００５】
従来の硬貨繰出し装置は、特許文献１に開示されているように、搬送ベルトの搬送面で繰出すべき硬貨を分離ローラにて一層状態に規制し、固定ガイドと、分離ローラの下方位置に設けた可変ガイドとで、搬送ベルトを支持しており、搬送ベルトと分離ローラとの間に複数枚重なり合った状態で硬貨が進入した時、この硬貨により搬送ベルトの搬送面と共に可変ガイドが降下することで、分離ローラで硬貨を分離し、該硬貨の繰出し部において硬貨詰まりを防止し、信頼性の向上を図っている。
【０００６】
すなわち、この特許文献１に開示された従来構造においては、複数枚の硬貨を一括して取扱う硬貨入出金機構において、複数枚の硬貨を１枚ずつに分離する繰出し部で、分離ローラの下に複数枚重なった状態で進入した硬貨により、搬送ベルトと搬送面と共に可変ガイドが降下することにより、繰出し部での硬貨詰まりを防止して、信頼性の向上を図るものである。
【０００７】
しかし、上述の繰出し部では、複数枚の硬貨が堆積され、硬貨が山積み状態となる場合が多々あり、複数の硬貨同士が互に寄りかかって、上記搬送ベルトから浮いた状態で残留することがある。
【０００８】
上記特許文献１では、多数枚の硬貨を繰出す場合の硬貨詰まりについては、これを解消するよう充分配慮されているが、多数枚の硬貨が堆積した場合に発生する硬貨の残留、例えば、複数枚の硬貨が搬送ベルトに接触せず、硬貨同士が互にブリッジ状に寄りかかることによって発生するブリッジ残留などの硬貨の残留、硬貨の滞留については考慮がなされていない。
【０００９】
したがって、このような従来構造においては、繰出し部に硬貨が残留した状態で正常終了するという問題点があった。
【００１０】
つまり、繰出し部からの硬貨の繰出し枚数については枚数チェックにより異常であることが検出できる反面、この異常を解消するための係員の処理作業においては、搬送ベルト上に残留する硬貨を確実に除去することなく復旧処理が行なわれる場合があり、搬送ベルト上に硬貨が残留した状態で正常終了するという不具合が発生する。
【００１１】
このような問題点を解決するためには、繰出し部内に残留検知センサを追加することが考えられるが、この場合、繰出し部内の全域（硬貨が搬送される搬送空間の広い範囲）を該センサで検出することが必要となるので、コスト高を招き、現実性がないものである。
【先行技術文献】
【特許文献】
【００１２】
【特許文献１】特開２００２−２４５５０６号公報
【発明の概要】
【発明が解決しようとする課題】
【００１３】
そこで、この発明は、残留媒体を検出することができ、低コストでありながら、高い信頼性を確保することができる硬貨繰出し装置の提供を目的とする。
【００１４】
この発明は、また、上記硬貨繰出し装置により残留硬貨を検知する方法であって、搬送手段の動作時に検出手段で測定した検知部材の移動時間が規定時間と略同等か否かで搬送空間に残留硬貨があるか否かを判定することにより、残留硬貨の検出ができ、低コストでありながら、高い信頼性を確保することができる残留硬貨検知方法の提供を目的とする。
【００１５】
この発明は、さらに、複数の硬貨の接触により搬送手段の搬送面上で硬貨の滞留が発生した時、該搬送手段の搬送面上に位置して搬送手段の動きに伴って移動する部材により、上記硬貨の滞留を解消することで、低コストでありながら、ブリッジ残留などの硬貨の滞留を簡単に解消することができる硬貨滞留解消方法の提供を目的とする。
【課題を解決するための手段】
【００１６】
この発明による硬貨繰出し装置は、硬貨を堆積するホッパ部と、該ホッパ部の底部に設けられ硬貨を搬送する搬送手段と、上記硬貨の厚みと略同等の隙間を有して上記ホッパ部に堆積した硬貨を１枚ずつ分離するゲート部とを備えた硬貨繰出し装置であって、上記搬送手段上に位置し、該搬送手段の動きに伴って移動可能な検知部材と、上記検知部材の移動時間を測定する検出手段とを設け、上記搬送手段を動作させ、上記検出手段で測定した検知部材の移動時間が、予め設定した規定時間と略等しいか否かで上記検知部材が移動する搬送空間に残留媒体が存在するか否かを判定する判定手段を備えたものである。
【００１７】
上述の搬送手段としては、エンドレス状の搬送ベルトを用いてもよく、上述の検知部材としては立方体形状の部材を用いることが望ましく、また、上述の検出手段としては、光学センサ、反射型光学センサ、または超音波センサなどのセンサを用いてもよい。
【００１８】
上記構成によれば、搬送手段の駆動により検知部材を移動させた時、搬送手段上に残留媒体が存在すると、検知部材がこの残留媒体に接触して、該検知部材の移動時間が本来の移動時間よりも長くなるので、検出手段で測定した検知部材の移動時間と、上記規定時間とを比較し、判定手段により移動時間が規定時間と略等しいか否かを判定することで、上記搬送空間に残留媒体が存在するか否かを判定することができる。
【００１９】
この結果、残留媒体存在の有無を確実に検出することができ、低コストでありながら、高い信頼性を確保することができる。
【００２０】
この発明の一実施態様においては、上記ゲート部の隙間に対して上記検知部材のサイズを大きく設定したものである。
【００２１】
上記構成によれば、検知部材がゲート部の隙間を通過しないので、この検知部材と、検出手段と判定手段とによる残留媒体の検出を恒久的に実行することができる。
【００２２】
この発明の一実施態様においては、上記搬送手段の搬送面下部に、該搬送面上の硬貨を検出する磁気検出手段を配設し、該磁気検出手段による硬貨検出が完了した時、上記検知部材による残留媒体の検知を実行するものである。
【００２３】
上述の磁気検出手段は、磁気センサに設定してもよい。
【００２４】
上記構成によれば、磁気検出手段による硬貨検出が完了（終了）した時に、検知部材による残留媒体の検知が実行されるので、残留媒体の検知が容易な条件下にて、誤検知となることなく、残留媒体の検知を行なうことができる。すなわち、磁気検出手段による硬貨検出が未完了の場合には、上記搬送手段の搬送面上に繰出されるべき硬貨が残っている状態であり、この状態下で残留媒体の検知を実行すると、誤検知の要因となるので、硬貨検出完了時に上記残留媒体の検知を実行するものである。
【００２５】
この発明による残留硬貨検知方法は、硬貨を堆積するホッパ部と、該ホッパ部の底部に設けられ硬貨を搬送する搬送手段と、上記硬貨の厚みと略同等の隙間を有して上記ホッパ部に堆積した硬貨を１枚ずつ分離するゲート部とを備え、上記搬送手段上に位置し、該搬送手段の動きに伴って移動可能な検知部材と、上記検知部材の移動時間を測定する検出手段とを設けた硬貨繰出し装置により残留硬貨を検知する残留硬貨検知方法であって、上記搬送手段を動作させ、上記検出手段で測定した検知部材の移動時間が、予め設定した規定時間と略等しいか否かで上記検知部材が移動する搬送空間に残留硬貨が存在するか否かを判定するものである。
【００２６】
上記構成によれば、搬送手段上に残留硬貨が存在する場合には、搬送手段の動きに伴って移動する検知部材が該残留硬貨に接触するので、この検知部材の移動時間は本来の移動時間に対して長くなる。
【００２７】
そこで、搬送手段を動作させ、検出手段で測定した検知部材の移動時間が、規定時間と略等しいか否かで、上記搬送空間に残留硬貨が存在するか否かを判定する方法により、適切に残留硬貨有無の検出ができ、低コストでありながら、高い信頼性を確保することができる。
【００２８】
この発明による硬貨滞留解消方法は、硬貨を堆積するホッパ部と、該ホッパ部の底部に設けられ硬貨を搬送する搬送手段とを備えた硬貨繰出し装置での硬貨の滞留を解消する硬貨滞留解消方法であって、上記ホッパ部は上記搬送手段の搬送面の上部両サイドから上方に向けて立設配設され、複数の硬貨の接触により上記搬送面上で硬貨の滞留が発生した時、上記搬送手段の搬送面上に位置して該搬送手段の動きに伴って移動可能な部材により、上記硬貨の滞留を解消するものである。
【００２９】
上記構成によれば、搬送手段の搬送面上に位置して該搬送手段の動きに伴って移動する部材を、搬送面上で滞留する硬貨に当接させることにより、該硬貨の滞留を解消することができる。
【００３０】
この場合、上記部材を既存の搬送手段にて搬送することができるので、特別な搬送手段を別途設ける必要がなく、しかも、該部材には搬送手段により滞留を解消する搬送力が付与されるので、ブリッジその他の硬貨の滞留現象を崩壊することができる。
【００３１】
このように、低コストでありながら、ブリッジ残留などの硬貨の滞留を簡単に解消することができる。
【発明の効果】
【００３２】
この発明の硬貨繰出し装置によれば、残留媒体を検出することができ、低コストでありながら、高い信頼性を確保することができる効果がある。
【図面の簡単な説明】
【００３３】
【図１】硬貨繰出し装置を備えた現金自動取引装置を示す外観斜視図
【図２】硬貨処理装置を示す概略図
【図３】入金取引時の硬貨の流れを示す説明図
【図４】出金取引時の硬貨の流れを示す説明図
【図５】係員による硬貨補充時の硬貨の流れを示す説明図
【図６】硬貨繰出し装置の内部構造図
【図７】制御回路ブロック図
【図８】残留硬貨検知方法および硬貨滞留解消方法を示すフローチャート
【図９】検知部材の始点位置を示す説明図
【図１０】検知部材の終点位置を示す説明図
【図１１】検知部材前方に残留硬貨が存在する状態を示す説明図
【図１２】図８のＡ−Ａ線に沿う説明図
【図１３】検知部材後方に残留硬貨が存在する状態を示す説明図
【図１４】異物混入の一例を示す説明図
【発明を実施するための形態】
【００３４】
この発明の一実施形態を以下図面に基づいて詳述する。
【００３５】
図面は硬貨繰出し装置、残留硬貨検知方法および硬貨滞留解消方法を示すが、まず、図１を参照して、硬貨繰出し装置を備えた現金自動取引装置の構成について説明する。
【００３６】
現金自動取引装置１は、金融機関等に設置され、顧客の操作によって現金の預入、引出などの取引を行ない、顧客の要求する種々の取引を自動的に実行する装置である。
【００３７】
この現金自動取引装置１は、入力機能および表示機能を有する操作部２と、カードおよび明細票機構を備えたカード機構部・明細票機構部３と、通帳機構部４と、紙幣入出金機構部５と、硬貨処理装置６とを備えている。
【００３８】
図２は硬貨処理装置６を示す概略図であって、この硬貨処理装置６は図１で示した現金自動取引装置１に内蔵されて、硬貨７（ばら状態の硬貨７）を取扱い対象としている。
【００３９】
この硬貨処理装置６は、受皿１０およびシャッタ１１を備えた入出金口部１２と、繰出し部１３と、硬貨識別部１４と、一時保留部１５と、入金搬送部１６と、金種別スタッカ１７と、一括スタッカ１８と、運用カートリッジ１９と、縦搬送部２０と、硬貨繰出し装置２１と、出金搬送部２２とを備えている。ここで、硬貨繰出し装置２１は出金搬送部２２の一部を構成するものである。
【００４０】
入出金口部１２は、投入された硬貨７を一時的に保持した後に、硬貨処理装置６の内部に取込んだり、また、出金する硬貨７を一時的に保持した後に、外部に取出せるようにする。
【００４１】
上記シャッタ１１は、入出金口部１２を開放または閉塞する。
【００４２】
繰出し部１３は、入出金口部１２の下部に位置して、この繰出し部１３は入出金口部１２から送られてきた硬貨７を一枚ずつに分離して送出す。
【００４３】
硬貨識別部１４は上記繰出し部１３の次段に位置して、この硬貨識別部１４は、繰出し部１３から送られてきた硬貨７の真偽および金種を識別する。
【００４４】
上記硬貨識別部１４の次段に位置する一時保留部１５は、硬貨７を一括して一時的に保留する。
【００４５】
入金搬送部１６は金種別スタッカ１７の上部に位置し、この入金搬送部１６は入金すべき硬貨７を金種別スタッカ１７に金種別に搬送する。
【００４６】
入金搬送部１６の下部に位置する金種別スタッカ１７は、入金搬送部１６から搬送されてくる硬貨７を金種別に収納する。
【００４７】
一括スタッカ１８は、一時保留部１５などから排出される硬貨を一括して収納する。
【００４８】
硬貨処理装置６の下部内奥に位置する運用カートリッジ１９は、補充用の硬貨７をセットするためのカートリッジである。
【００４９】
運用カートリッジ１９の側部に沿って硬貨繰出し装置２１まで上下方向に配設された縦搬送部２０は、一括スタッカ１８や運用カートリッジ１９の硬貨７を硬貨繰出し装置２１に搬送する。
【００５０】
硬貨繰出し装置２１は、硬貨７を１枚ずつに分離して繰出すが、この硬貨繰出し装置２１の詳細構造については後述する。
【００５１】
硬貨繰出し装置２１と入出金口部１２との間に略上下方向に設けられた出金搬送部２２は、硬貨繰出し装置２１から繰出された硬貨７を入出金口部１２に搬送する。
【００５２】
次に、図２で示した硬貨処理装置６の主な動作について説明する。
【００５３】
まず、顧客による入金取引について説明する（図３参照）。
【００５４】
入金取引では、顧客が金種混合の硬貨７を入出金口部１２に投入する。入金された硬貨７を入出金口部１２の受皿１０で一時的に保留した後、この受皿１０を１８０度回転して、受皿１０上の硬貨７を繰出し部１３に受け渡す。
【００５５】
繰出し部１３は硬貨７を１枚ずつ分離して、次段の硬貨識別部１４に搬送し、この硬貨識別部１４で、硬貨７の真偽判定、金種判定を行なう。この時、硬貨識別部１４で正常であると識別された硬貨７は一時保留部１５に搬送して、一時的に保留するが、正常でないと識別された硬貨７はリジェクト搬送路（図示せず）を介して出金搬送部２２から入出金口部１２に搬送して、顧客に返却する。
【００５６】
投入された全ての硬貨７の識別が終了し、その搬送が完了すると、預入金額の計数を行ない、預入金額を図１の操作部２に表示する。
【００５７】
その後、顧客が計数結果を確認し、上記操作部２において預入操作がなされると、硬貨処理装置６は収納動作を行なう。
【００５８】
収納動作は次のように行なわれる。
【００５９】
すなわち、一時保留部１５に一時的に保留した硬貨７を、硬貨繰出し装置２１を介して、出金搬送部２２に送り、この出金搬送部２２で硬貨７を１枚ずつ分離して入出金口部１２に送った後に、繰出し部１３を介して再度硬貨識別部１４で真偽判定と金種判別とを実行して、入金搬送部１６にて搬送して、金種別に金種別スタッカ１７に収納する。
【００６０】
上述の出金搬送部２２から入出金口部１２に搬送される時、該出金搬送部２２の出口に設けたカウントセンサ（図示せず）で、通過した硬貨７の金種を判別し、通過枚数のカウントを行なう。全ての硬貨が入出金口部１２に送られると、一時保留部１５に一時保留していた枚数と、カウントセンサ（図示せず）でカウントした枚数が一致しているか否かの判定を実行すると共に、後述する残留検知動作を行なって出金搬送部２２の硬貨残留の有無を確認する。
【００６１】
上述の入金取引乃至収納動作における硬貨７の流れは、図３に太線矢印で示すようになる。
【００６２】
次に、顧客による出金取引について説明する（図４参照）。
【００６３】
出金取引では、顧客が出金する金額を図１の操作部２に入力すると、現金自動取引装置１の制御部（図示せず）が、出金すべき金額に応じて硬貨処理装置６に対して、それぞれの金種の硬貨７を所定枚数払出す指令を出力する。
【００６４】
硬貨処理装置６は、指定された金種の所定枚数だけ金種別スタッカ１７から硬貨７を１枚ずつ繰出して、該金種別スタッカ１７下部のエンドレスベルト２３および硬貨繰出し装置２１を介して、硬貨７を出金搬送部２２に送る。
【００６５】
この出金搬送部２２は、金種別スタッカ１７から送られてきた硬貨７を、入出金口部１２に１枚ずつ、繰出す。この時、出金搬送部２２の出口に設けたカウントセンサ（図示せず）で通過した硬貨７の金種を判別すると共に、通過枚数のカウントを行なう。
【００６６】
全ての硬貨７が入出金口部１２に送られると、出金すべき金額と一致しているか否かの判定を行なうと共に、後述する残留検知動作を行なって、出金搬送部２２の硬貨残留の有無を確認する。
【００６７】
上述の出金取引動作における硬貨７の流れは、図４に太線矢印で示すようになる。
【００６８】
次に、係員による硬貨補充時の動作について説明する（図５参照）。
【００６９】
硬貨処理装置６に対する硬貨７の装填は、係員が補充すべき硬貨７を運用カートリッジ１９に投入し、この運用カートリッジ１９を硬貨処理装置６にセットする。
【００７０】
運用カートリッジ１９のセット後において、係員が補充コマンド操作を実施すると、運用カートリッジ１９から硬貨７が繰出される。
【００７１】
運用カートリッジ１９から繰出された硬貨７を、縦搬送部２０で一枚ずつ分離し、硬貨繰出し装置２１を介して、出金搬送部２２へ搬送する。
【００７２】
この出金搬送部２２から入出金口部１２に硬貨７を１枚ずつ搬送した後に、該硬貨７を繰出し部１３で集積し、この集積した硬貨７を１枚ずつ分離して繰出し部１３から硬貨識別部１４に搬送する。
【００７３】
硬貨識別部１４では、硬貨７の真偽判定、金種判定を実行し、正常であると判定された硬貨は、入金搬送部１６で金種別スタッカ１７に搬送され、金種別に振分けて金種別スタッカ１７に収納する。
【００７４】
なお、正常でないと判定された硬貨７は、一時保留部１５に搬送された後に、リジェクト搬送路（図示せず）を通って運用カートリッジ１９の収納部に収納される。
【００７５】
運用カートリッジ１９の全ての硬貨７が繰出され、金種別スタッカ１７への収納が終了すると、出金搬送部２２は後述する残留検知動作を行なう。
【００７６】
上述の係員による硬貨補充時の硬貨７の流れは、図５に太線矢印で示すようになる。
【００７７】
上述の硬貨繰出し装置２１は出金搬送部２２の一部を構成するものであって、その詳細構造を図６、図１２（但し、図１２は図１１のＡ−Ａ線矢視断面図）に示す。
【００７８】
図６、図１２に示すように、硬貨繰出し装置２１は、硬貨７を堆積するホッパ部３０と、このホッパ部３０の底部に設けられ硬貨７を正逆双方向に搬送する搬送手段としてのエンドレス状の搬送ベルト３１と、この搬送ベルト３１の搬送面３１ａにおける上部一側に設けられたゲートローラ３２（いわゆる逆転ローラ）とを備えている。
【００７９】
図１２に示すように、上述のホッパ部３０は、搬送ベルト３１の搬送面３１ａの上部両サイドから上方に向けて立設配設された縦壁３３，３３を有しており、この縦壁３３，３３の下端部は、搬送ベルト３１の搬送面３１ａとの間に隙間が形成されないように内方へ円弧状に折曲げたアール部３３ａ，３３ａに形成している。
【００８０】
また、上述の搬送ベルト３１は、複数のローラ３４，３５，３６間にエンドレス状に張架された搬送手段である。
【００８１】
さらに、上述のゲートローラ３２は、搬送面３１ａに対して硬貨７の厚みと略同等の隙間ｇを有して配置されており、この隙間ｇとゲートローラ３２と搬送ベルト３１の搬送面３１ａとにより、ホッパ部３０に堆積した硬貨７を一枚ずつ分離するゲート部３７が形成されている。
【００８２】
ここで、搬送ベルト３１の正転駆動方向は図６に矢印ａで示す方向であり、上述のゲートローラ３２の回転方向は図６に矢印ｂで示すように、搬送ベルト３１の移動方向と逆方向に回転するように構成されている。
【００８３】
しかも、搬送ベルト３１の搬送面３１ａには、該搬送ベルト３１の動きに伴って移動可能な検知部材３８を上載している。この検知部材３８は立方体形状に形成されると共に、ゲート部３７の隙間ｇに対して該検知部材３８のサイズが充分大きく設定されている。
【００８４】
また、ホッパ部３０の対向配置された一対の縦壁３３には、検知部材３８の移動時間を測定する検出手段の一例として、各一対の検出センサ３９，３９、４０，４０を取付けている。
【００８５】
さらに、搬送ベルト３１の搬送面３１ａの下部には、該搬送面３１ａ上の硬貨７を検出する磁気検出手段としての磁気センサ４１を配置している。
【００８６】
上述の検知部材３８としては、磁気センサ４１が反応しない非磁性体のものを用い、検出センサ３９，４０としては光学的な検出能力を有するもの、例えば光学センサを用いる。
【００８７】
なお、検出センサ３９，４０として光学センサを用いる場合には、上記検知部材３８は遮光機能を有するように構成する。
【００８８】
また、上記検出センサ３９，４０の配置高さは、ゲートローラ３２の下端（１枚の硬貨の厚み）よりも上方で、かつ検知部材３８の上端よりも下方に位置するように配置されており、一方の検出センサ３９は縦搬送部２０に近接する側に配置され、他方の検出センサ４０はゲートローラ３２に近接する側に配置されている。さらに、検知部材３８は搬送面３１ａに上載した時、その上面が各検出センサ３９，４０よりも上方に位置する高さに設定されている。
【００８９】
図６に示すように、上述のホッパ部３０は、一時保留部１５、金種別スタッカ１７下部のベルト２３、および縦搬送部２０から搬送された硬貨７を堆積する機能を有し、搬送ベルト３１の正転駆動時にゲート部３７で硬貨７を１枚ずつに分離して繰出すように構成している。
【００９０】
図７は硬貨繰出し装置２１の制御回路ブロック図を示し、ＣＰＵ５０は、検出センサ３９，４０、磁気センサ４１からの入力に基づいて、ＲＯＭ５１に格納されたプログラムに従って、搬送ベルト３１を正逆駆動すると共に、表示部５２を駆動する。またＲＡＭ５３は、検知部材３８が図９に示す始点位置にある状態から搬送ベルト３１を正転方向に駆動し、この検知部材３８が図１０に示す終点位置に達するのに要する規定時間Ｔｏのデータなどの、必要なデータを記憶する。
【００９１】
ここで、上述のＣＰＵ５０は搬送ベルト３１、表示部５２を駆動制御する制御手段と、搬送ベルト３１を動作させ、検出手段としての検出センサ３９，４０で測定した検知部材３８の実際の移動時間Ｔが、予め設定した規定時間Ｔｏと略等しいか否かで上記検知部材３８が移動する搬送空間に残留媒体としての残留硬貨や異物が存在するか否かを判定する判定手段（図８に示すフローチャートのステップＳ１０参照）と、を兼ねる。
【００９２】
上述の規定時間Ｔｏは、搬送ベルト３１の搬送速度Ｖと、検出センサ３９，４０の離間距離Ｌとから理論的に求めることができる。
【００９３】
また、図７で示した表示部５２は別途設けてもよく、或は、図１の操作部２で兼用するように構成してもよい。
【００９４】
図６に示す硬貨繰出し装置２１の通常の繰出し動作は、以下の通りである。
【００９５】
すなわち、硬貨繰出し装置２１に搬送された硬貨７を、搬送ベルト３１の正転駆動によりゲートローラ３２まで搬送し、このゲートローラ３２と搬送ベルト３１の搬送面３１ａとの間の隙間ｇを、硬貨７、１枚のみが通過することで、硬貨７を１枚ずつに分離して繰出す。
【００９６】
このような動作を繰返し、硬貨繰出し装置２１から硬貨７が一定時間繰出されなくなり、硬貨７を全て繰出したと判断すると、硬貨繰出し装置２１はその繰出し動作が終了する。
【００９７】
なお、搬送ベルト３１の駆動時には、この搬送ベルト３１の動きに伴って検知部材３８が硬貨繰出し方向へ移動するが、この検知部材３８がゲートローラ３２に接触すると、この検知部材３８は該ゲートローラ３２で弾かれて硬貨を飛び越えて後方斜め上方に移行した後に、後方側（検出センサ３９が配設された方向）に移動するので、該検知部材３８の存在が硬貨７の１枚出しに対して支障となることはない。
【００９８】
さらに、図１２に示すように、搬送ベルト３１の横幅は、硬貨１枚分の直径よりも大きく、硬貨２枚分の直径の合計よりも小さく設定されると共に、検知部材３８の一辺の長さは、図１２に示すような硬貨のブリッジ現象が発生した時、このブリッジを潰すことができる所定の長さに設定されている。
【００９９】
次に、上述の入出金動作終了後、補充動作終了後において硬貨繰出し装置２１が行なう残留検知動作を、図８のフローチャート、図９〜図１４の説明図を参照して、以下に詳述する。ここで、この実施態様においては、磁気検出手段としての磁気センサ４１による硬貨検出が完了した時、検知部材３８による残留媒体の検知を実行するように構成している。
【０１００】
図８に示すフローチャートのステップＳ１で、磁気センサ４１により搬送ベルト３１の搬送面３１ａ上の硬貨７を検出し、次のステップＳ２で、ＣＰＵ５０は磁気センサ４１からの入力に基づいて、該磁気センサ４１で硬貨を検出しなくなったか否かを判定し、ＮＯ判定時（硬貨検出中）にはステップＳ１にリターンする一方、ＹＥＳ判定時（硬貨検出完了時）には、次のステップＳ３に移行する。
【０１０１】
搬送ベルト３１上において検知部材３８が何れの位置に存在しているか不定であるため、このステップＳ３で、ＣＰＵ５０は搬送ベルト３１を逆方向（図９の矢印ｃ方向）に駆動させる。
【０１０２】
搬送ベルト３１の搬送面３１ａ上に残留硬貨７が存在しない場合には、検知部材３８は円滑に検出センサ３９対応位置（図９参照）に搬送される一方、搬送ベルト３１の逆転による検知部材３８の先方に図１３に示すように残留硬貨７が存在する場合には、この残留硬貨７が検知部材３８の搬送抵抗となり、検知部材３８の移動速度が遅くなる。
【０１０３】
そこで、ステップＳ４で、ＣＰＵ５０は検出センサ３９が検知部材３８を検知したか否かを判定し、検知部材３８が図９に示す始点位置に達したＹＥＳ判定時には次のステップＳ５に移行する一方、検知部材３８が図１３に示すように始点位置に達しない場合（ＮＯ判定時）には、別のステップＳ１４に移行する。
【０１０４】
このステップＳ１４で、ＣＰＵ５０は所定時間が経過したか否かを判定し、ＮＯ判定時にはステップＳ３にリターンする一方、ＹＥＳ判定時にはステップＳ１３にスキップする。
【０１０５】
このステップＳ１３での処理については後述する。
【０１０６】
上述のステップＳ５で、ＣＰＵ５０は搬送ベルト３１を正方向（図１０の矢印ａ方向）に駆動させる。
【０１０７】
搬送ベルト３１の搬送面３１ａ上に残留硬貨７が存在しない場合には、検知部材３８は円滑に検出センサ４０対応位置（図１０参照）に搬送される一方、搬送ベルト３１の正転による検知部材３８の先方に図１１、図１２に示すように残留硬貨７が存在する場合には、この残留硬貨７が検知部材３８の搬送抵抗となり、検知部材３８の移動速度が遅くなる。
【０１０８】
図１１、図１２においては、複数の硬貨７，７の接触により搬送面３１ａ上での硬貨７の滞留が発生した場合の一例として、硬貨７のブリッジ現象を図示している。
【０１０９】
この硬貨７のブリッジ現象は、図１２に示すように、複数の硬貨７，７の下端がホッパ部３０における縦壁３３下部のアール部３３ａ上に位置し、複数の硬貨７，７の上端が互に接触または当接し、搬送面３１ａ上から浮き上がってブリッジ状態となる現象である。
【０１１０】
上記ステップＳ５での搬送ベルト３１の正転後、次のステップＳ６で、ＣＰＵ５０は内蔵タイマによる計時をスタートさせ、次のステップＳ７で、ＣＰＵ５０は検出センサ４０が検知部材３８を検知したか否かを判定し、図１０に示すように検知部材３８が終点位置に達したＹＥＳ判定時には次のステップＳ８に移行する一方、検出センサ４０による検知部材３８の未検知時（ＮＯ判定時）には、別のステップＳ９に移行する。
【０１１１】
このステップＳ９で、ＣＰＵ５０は所定時間が経過したか否かを判定し、ＮＯ判定時にはステップＳ７にリターンする一方、ＹＥＳ判定時にはステップＳ１３に移行する。
【０１１２】
上述のステップＳ８で、ＣＰＵ５０は内蔵タイマによる計時を終了し、検知部材３８が検出センサ３９対応位置から検出センサ４０対応位置に移動するのに要した時間（移動時間）ＴをＲＡＭ５３の所定エリアに読出し可能に記憶する。
【０１１３】
次にステップ１０で、ＣＰＵ５０は検出センサ３９，４０で測定した検知部材３８の移動時間Ｔが、予め設定した規定時間Ｔｏと略等しいか否かを判定し、搬送ベルト３１の搬送面３１ａ上に残留硬貨が滞留することなく、Ｔ≒Ｔｏの場合（ＹＥＳ判定時）には次のステップＳ１１に移行する一方、上記搬送面３１ａ上に残留硬貨が滞留することで、移動時間が長くなったＴ＞Ｔｏの場合（ＮＯ判定時）には、別のステップＳ１３に移行する。
【０１１４】
上述のステップＳ１１で、ＣＰＵ５０は表示部５２に残留硬貨がなく正常である旨の表示（正常表示）を実行し、上述のステップＳ１３では、ＣＰＵ５０は表示部５２に残留硬貨が存在し、エラーである旨の表示（エラー表示）を実行する。
【０１１５】
これら各ステップＳ１１，Ｓ１３での処理終了後には次のステップＳ１２に移行して、このステップＳ１２で、ＣＰＵ５０は搬送ベルト３１を停止させる。
【０１１６】
ところで、図１１、図１３で示したように、搬送ベルト３１の搬送面３１ａ上における検知部材３８の移動方向先方に硬貨７が滞留して残留している場合、検知部材３８には該搬送ベルト３１により滞留を解消する搬送力が付与されるので、移動時間Ｔが長くなるものの、この検知部材３８を残留硬貨、滞留硬貨に当接させることにより、図１１、図１２で示したブリッジ現象などの硬貨の滞留を解消することができる。
【０１１７】
一方、図３に示すように、入金取引時において顧客が投入した硬貨７の中に紙片６０などの異物が混入している場合がある。
【０１１８】
この場合、紙片６０などの異物は硬貨７と一緒に硬貨処理装置６に取込まれ、図３に太線矢印で示す硬貨の流れ経路に沿って硬貨繰出し装置２１に搬送される可能性がある。
【０１１９】
図１４に示すように折曲がった紙片６０はゲートローラ３２と搬送ベルト３１の搬送面３１ａとの間の隙間ｇを通過することができないので、搬送ベルト３１上に残り続ける。
【０１２０】
この状態において残留動作を行ない、搬送ベルト３１を正転方向に動作させると、紙片６０は検知部材３８で押され、搬送ベルト３１の動きに合わせて検知部材３８と一緒に移動しながら検出センサ４０対応部を通過する。
【０１２１】
この場合、移動時間Ｔは規定時間Ｔｏより短い時間となり残留媒体があると判断することができ、また、磁気センサ４１は、紙片６０が非磁性体であるため、紙片６０の検出はできず、これにより残留媒体は硬貨７以外の異物であると判断することができる。
【０１２２】
このように、上記実施形態による硬貨繰出し装置は、硬貨７を堆積するホッパ部３０と、該ホッパ部３０の底部に設けられ硬貨７を搬送する搬送手段（搬送ベルト３１参照）と、上記硬貨７の厚みと略同等の隙間ｇを有して上記ホッパ部３０に堆積した硬貨７を１枚ずつ分離するゲート部３７とを備えた硬貨繰出し装置２１であって、上記搬送手段（搬送ベルト３１参照）上に位置し、該搬送手段（搬送ベルト３１参照）の動きに伴って移動可能な検知部材３８と、上記検知部材３８の移動時間Ｔを測定する検出手段（検出センサ３９，４０参照）とを設け、上記搬送手段（搬送ベルト３１参照）を動作させ、上記検出手段（検出センサ３９，４０参照）で測定した検知部材３８の移動時間Ｔが、予め設定した規定時間Ｔｏと略等しいか否かで上記検知部材３８が移動する搬送空間に残留媒体が存在するか否かを判定する判定手段（ステップＳ１０参照）を備えたものである（図６、図８参照）。
【０１２３】
この構成によれば、搬送手段（搬送ベルト３１参照）の駆動により検知部材３８を移動させた時、搬送手段（搬送ベルト３１参照）上に残留媒体（硬貨７および紙片６０などの異物参照）が存在すると、検知部材３８がこの残留媒体に接触して、該検知部材３８の移動時間Ｔが本来の移動時間よりも長くなるので、検出手段（検出センサ３９，４０参照）で測定した検知部材３８の移動時間Ｔと、規定時間Ｔｏとを比較し、判定手段（ステップＳ１０参照）により移動時間Ｔが規定時間Ｔｏと略等しいか否かを判定することで、上記搬送空間に残留媒体が存在するか否かを判定することができる。
【０１２４】
この結果、残留媒体存在の有無を上記搬送空間の広い範囲にわたって確実に検出することができ、低コストでありながら、高い信頼性を確保することができる。
【０１２５】
また、上記ゲート部３７の隙間ｇに対して上記検知部材３８のサイズを大きく設定したものである（図６参照）。
【０１２６】
この構成によれば、検知部材３８がゲート部３７の隙間ｇを通過しないので、この検知部材３８と、検出手段（検出センサ３９，４０参照）と判定手段（ステップＳ１０参照）とによる残留媒体の検出を恒久的に実行することができる。
【０１２７】
さらに、上記搬送手段（搬送ベルト３１参照）の搬送面３１ａ下部に、該搬送面３１ａ上の硬貨７を検出する磁気検出手段（磁気センサ４１参照）を配設し、該磁気検出手段（磁気センサ４１参照）による硬貨検出が完了した時、上記検知部材３８による残留媒体の検知を実行するものである（図６、図８参照）。
【０１２８】
この構成によれば、磁気検出手段（磁気センサ４１参照）による硬貨検出が完了（終了）した時に、検知部材３８による残留媒体の検知が実行されるので、残留媒体の検知が容易な条件下にて、誤検知となることなく、残留媒体の検知を行なうことができる。すなわち、磁気センサ４１による硬貨検出が未完了の場合には、搬送ベルト３１の搬送面３１ａ上に繰出されるべき硬貨７が残っている状態であり、この状態下で残留媒体の検知を実行すると、誤検知の要因となるので、硬貨検出完了時に上記残留媒体の検知を実行するものである。
【０１２９】
上記実施形態による残留硬貨検知方法は、硬貨７を堆積するホッパ部３０と、該ホッパ部３０の底部に設けられ硬貨７を搬送する搬送手段（搬送ベルト３１参照）と、上記硬貨７の厚みと略同等の隙間ｇを有して上記ホッパ部３０に堆積した硬貨７を１枚ずつ分離するゲート部３７とを備え、上記搬送手段（搬送ベルト３１参照）上に位置し、該搬送手段（搬送ベルト３１参照）の動きに伴って移動可能な検知部材３８と、上記検知部材３８の移動時間Ｔを測定する検出手段（検出センサ３９，４０参照）とを設けた硬貨繰出し装置２１により残留硬貨を検知する残留硬貨検知方法であって、上記搬送手段（搬送ベルト３１参照）を動作させ、上記検出手段（検出センサ３９，４０参照）で測定した検知部材３８の移動時間Ｔが、予め設定した規定時間Ｔｏと略等しいか否かで上記検知部材３８が移動する搬送空間に残留硬貨が存在するか否かを判定するものである（図６、図８参照）。
【０１３０】
この構成によれば、搬送手段（搬送ベルト３１参照）上に残留硬貨が存在する場合には、搬送手段（搬送ベルト３１参照）の動きに伴って移動する検知部材３８が該残留硬貨に接触するので、この検知部材３８の移動時間Ｔは本来の移動時間に対して長くなる。
【０１３１】
そこで、搬送手段（搬送ベルト３１参照）を動作させ、検出手段（検出センサ３９，４０参照）で測定した検知部材３８の移動時間Ｔが、規定時間Ｔｏと略等しいか否かで、上記搬送空間に残留硬貨が存在するか否かを判定する方法により、上記搬送空間の広い範囲にわたって、適切に残留硬貨有無の検出ができ、低コストでありながら、高い信頼性を確保することができる。
【０１３２】
上記実施形態による硬貨滞留解消方法は、硬貨７を堆積するホッパ部３０と、該ホッパ部３０の底部に設けられ硬貨７を搬送する搬送手段（搬送ベルト３１参照）とを備えた硬貨繰出し装置２１での硬貨７の滞留を解消する硬貨滞留解消方法であって、上記ホッパ部３０は上記搬送手段（搬送ベルト３１参照）の搬送面３１ａの上部両サイドから上方に向けて立設配設され、複数の硬貨７，７の接触により上記搬送面３１ａ上で硬貨７の滞留が発生した時、上記搬送手段（搬送ベルト３１参照）の搬送面３１ａ上に位置して該搬送手段（搬送ベルト３１参照）の動きに伴って移動可能な部材（検知部材３８参照）により、上記硬貨７の滞留を解消するものである（図６、図８参照）。
【０１３３】
この構成によれば、搬送手段（搬送ベルト３１参照）の搬送面３１ａ上に位置して該搬送手段（搬送ベルト３１参照）の動きに伴って移動する部材（検知部材３８参照）を、搬送面３１ａ上で滞留する硬貨７に当接させることにより、該硬貨７の滞留を解消することができる。
【０１３４】
この場合、上記部材（検知部材３８参照）を既存の搬送手段（搬送ベルト３１参照）にて搬送することができるので、特別な搬送手段を別途設ける必要がなく、しかも、該部材（検知部材３８参照）には搬送手段（搬送ベルト３１参照）により滞留を解消する搬送力が付与されるので、ブリッジその他の硬貨の滞留現象を崩壊することができる。
【０１３５】
このように、低コストでありながら、ブリッジ残留などの硬貨７の滞留を簡単に解消することができる。
【０１３６】
また、上記実施形態で開示したように、検知部材３８を立方体形状（いわゆるキュービック形状）に構成すると、この検知部材３８がゲートローラ３２に接触して後方側へ弾かれて、該検知部材３８の何れの面が前後方向に向いても、常に同一寸法を確保することができるので、該検知部材３８の姿勢に起因して測定される移動時間Ｔにばらつきが発生することがない。この結果、常に安定して残留媒体存在の有無を判定することができる。
【０１３７】
この発明の構成と、上述の実施形態との対応において、
この発明の搬送手段は、実施形態のエンドレス搬送帯としての搬送ベルト３１に対応し、
以下同様に、
検出手段は、光学センサなどから成る検出センサ３９，４０に対応し、
磁気検出手段は、磁気センサ４１に対応し、
判定手段はＣＰＵ５０制御によるステップＳ１０（図８参照）に対応するも、
この発明は、上述の実施形態の構成のみに限定されるものではない。
【０１３８】
例えば、上記検出手段としては、超音波センサや反射型光学センサなどの他のセンサを用いてもよい。
【符号の説明】
【０１３９】
７…硬貨
２１…硬貨繰出し装置
３０…ホッパ部
３１…搬送ベルト（搬送手段）
３１ａ…搬送面
３７…ゲート部
３８…検知部材（部材）
３９，４０…検出センサ（検出手段）
４１…磁気センサ（磁気検出手段）
ｇ…離間
Ｓ１０…判定手段
【図１】
2010211445.tif 000003
【図２】
2010211445.tif 000004
【図３】
2010211445.tif 000005
【図４】
2010211445.tif 000006
【図５】
2010211445.tif 000007
【図６】
2010211445.tif 000008
【図７】
2010211445.tif 000009
【図８】
2010211445.tif 000010
【図９】
2010211445.tif 000011
【図１０】
2010211445.tif 000012
【図１１】
2010211445.tif 000013
【図１２】
2010211445.tif 000014
【図１３】
2010211445.tif 000015
【図１４】
2010211445.tif 000016